(57)【要約】【課題】埋設ボックスの上部開口を、施錠具を付設した蓋体の固定装着によって、施錠具を付設していない他の各蓋体の取り外しをも不能にして安全性、安定性を確保する。【解決手段】埋設ボックス１の上部開口を所定数で分割した１個のロック蓋体１１、適数個のスライド蓋体１５によって閉蓋する。ロック蓋体１１にはロック片１４を備えた施錠具１２を、スライド蓋体１５には係合フック１６をそれぞれ設け、埋設ボックス１の上部開口の支持縁３にスライドガイド部２０を設ける。このスライドガイド部２０は、位置決めしたロック蓋体１１のロック片１４及びスライド蓋体１５の係合フック１６の直上位置で係合するロックスライド２１と、ロックスライド２１の側方の空所側に係合フック１６を移動許容させた後に上方への、あるいは上部開口上方からのロックスライド２１の下方へのスライド移動を案内させるガイドスライド２２とから成る。【選択図】図１
2010163770.tif 000002
【特許請求の範囲】
【請求項１】
地中に埋設される埋設ボックスの上部開口を閉塞するよう複数の蓋体に分割され、上部開口に設けられた支持縁上に載置される開閉蓋であって、分割された各蓋体の内の１個は上部開口の所定位置で直接に取り外し固定されるロック蓋体とされ、他の蓋体は支持縁に沿って移動可能で、所定位置で固定されるスライド蓋体とされる埋設ボックス用蓋装置において、ロック蓋体に設けた施錠具による施錠時のロック片及びスライド蓋体に設けた係合フックをこれらの直上位置で係合するロックスライドと、ロックスライドの側方で、係合フックをスライド蓋体を取り外すときの側方にほぼ水平方向に沿っての移動を許容させた後に、あるいは埋設ボックスの上部開口を施蓋するときの側方から移動スライドする側で、係合フックがその上面でスライドするよう傾斜しているガイドスライドとから成るスライドガイド部を備えたことを特徴とする埋設ボックス用蓋装置。
【請求項２】
地中に埋設される埋設ボックスの上部開口を所定数で分割された１個のロック蓋体、適数個のスライド蓋体によって閉蓋する埋設ボックス用蓋装置において、ロック蓋体の辺縁下面には、その側外方に揺動自在に出没するロック片を備えた施錠具を設け、スライド蓋体の辺縁下面には、側外方側に向かう係合フックを設けておき、各蓋体の辺縁を載置支持する支持縁にはスライドガイド部を設け、このスライドガイド部は、上部開口で位置決めされたロック蓋体のロック片及びスライド蓋体の係合フックそれぞれの直上位置で係合するロックスライドと、このロックスライドの側方であるロック蓋体あるいはスライド蓋体を取り外し後の空所側に、係合フックをほぼ水平方向に沿っての移動を許容させた後に上方への、あるいは埋設ボックスの上部開口上方からロックスライドの下方へのスライドを案内させるガイドスライドとから成ることを特徴とする埋設ボックス用蓋装置。
【請求項３】
ロックスライド下面には、持ち上げられたスライド蓋体の係合フックをガイドスライド側に上昇スライド案内させるスライド傾斜面を形成してある請求項１または２に記載の埋設ボックス用蓋装置。
【請求項４】
係合フックをスライド案内させるようにガイドスライドの上面に形成したスライドガイド傾斜面は、ロックスライドのスライド傾斜面に比し、急峻な傾斜面に形成してある請求項１乃至３のいずれかに記載の埋設ボックス用蓋装置。
【請求項５】
ロックスライドとガイドスライドとは、隣接配置されるロック蓋体あるいはスライド蓋体側に対し左右対称に形成してある請求項１乃至４のいずれかに記載の埋設ボックス用蓋装置。
【請求項６】
ガイドスライドは、隣接配置されるロック蓋体あるいはスライド蓋体それぞれのスライドガイド部のガイドスライドと水平方向に沿う載置セットスライドによって連続させてある請求項１乃至５のいずれかに記載の埋設ボックス用蓋装置。
【発明の詳細な説明】
【技術分野】
【０００１】
本発明は、通信ケーブル、電力ケーブル等の各種ケーブルの分岐、集約、それらの点検その他のために地中に埋設される例えば電線共同溝の如き埋設ボックスにおいて、その地上面である上部開口における作業員の出入りのため等に開閉される埋設ボックス用蓋装置に関する。
【背景技術】
【０００２】
従来から、この種の電線共同溝において、内部の保守、点検その他のために作業員が出入り可能となるように開閉蓋がその上部開口である地上面に設けられている。開閉蓋自体は、地上の歩行者の往来その他を考慮して堅牢に、しかもある程度の重量があるものとして構成され、その開口面が広い場合には適当数に分割された複数にして構成配置される。また、管理上の点から特定の管理者しか開放できないように施錠されるものとされ、分割構成されているそれぞれの蓋体がロックされている。
【０００３】
このようにそれぞれの分割蓋体がロックされるとき、それぞれに施錠具を備えさせるとすれば、施錠具自体が特殊構造であることと相俟ち、その費用は相当程度に嵩張るものとなる。こうした点を解消すべく、例えば特許文献１に示される共同溝用蓋施錠装置が提案されており、並列配置される複数の分割蓋体の内の１個である特定の蓋にのみ施錠具を設け、他の分割蓋体である他の蓋は、上部開口面で形成した蓋棚受に分割蓋体自体に形成されている開放防止金具を係合支持させることで外れないようにしておくと共に、係合状態のままで蓋棚受に沿って共同溝の上部開口面でスライド移動させて、前記の特定の蓋を除去した空間側の蓋棚受の所定位置に設けてある切欠部を経て取り外しできるようにし、その切欠部にはストッパーを形成することで、スライドする他の蓋を切欠部位置で停止させて、切欠部を経ての取り外しが円滑にできるようにして成る。
【先行技術文献】
【特許文献】
【０００４】
【特許文献１】登録実用新案第３１０３８１１号公報
【発明の概要】
【発明が解決しようとする課題】
【０００５】
この従来の特許文献１による蓋施錠装置によると、特定の蓋のみに施錠具を具備させれば良く、全体としてのコスト・メンテナンスの低減を図ることができ、蓋開閉の作業性が向上するとする。ところが、スライドして取り外す他の蓋は、特定の蓋の除去空間まで移動させる必要があり、また、取り外しのための切欠部位置が蓋自体によって隠蔽されるために、移動の終点がストッパーで停止される位置とされても、その移動距離・間隔は目測で測らざるを得ない不都合がある。そればかりでなく、蓋自体は相当な重量があるためにその移動作業に際しストッパーに突き当たるときには、蓋に加わる移動時の慣性作用でストッパー自体を損傷させる虞もある。
【０００６】
そこで本発明は叙上のような従来存した諸事情に鑑み創出されたもので、その目的は電線共同溝の如き埋設ボックスの上部開口を開閉する蓋装置において、分割構成された各蓋体の内の１個のみに施錠具を付設することで、施錠具が付設されていない他の各蓋体の取り外しを不可能にして安全性、安定性等を確保すると共に、各蓋体ではその閉蓋位置付近での僅かな移動で簡単に取り外し、取付が可能となるよう取り扱いが容易な埋設ボックス用蓋装置を提供することにある。
【課題を解決するための手段】
【０００７】
上述した課題を解決するため、本発明にあっては、地中に埋設される埋設ボックス１の上部開口を閉塞するよう複数の蓋体１１，１５に分割され、上部開口に設けられた支持縁３上に載置される開閉蓋１０であって、分割された各蓋体１１，１５の内の１個は上部開口の所定位置で直接に取り外し固定されるロック蓋体１１とされ、他の蓋体は支持縁３に沿って移動可能で、所定位置で固定されるスライド蓋体１５とされる埋設ボックス用蓋装置において、ロック蓋体１１に設けた施錠具１２による施錠時のロック片１４及びスライド蓋体１５に設けた係合フック１６をこれらの直上位置で係合するロックスライド２１と、ロックスライド２１の側方で、係合フック１６をスライド蓋体１５を取り外すときの側方にほぼ水平方向に沿っての移動を許容させた後に、あるいは埋設ボックス１の上部開口を施蓋するときの側方から移動スライドする側で、係合フック１６がその上面でスライドするよう傾斜しているガイドスライド２２とから成るスライドガイド部２０を備えたことを特徴とする。
地中に埋設される埋設ボックス１の上部開口を所定数で分割された１個のロック蓋体１１、適数個のスライド蓋体１５によって閉蓋する埋設ボックス用蓋装置において、ロック蓋体１１の辺縁下面には、その側外方に揺動自在に出没するロック片１４を備えた施錠具１２を設け、スライド蓋体１５の辺縁下面には、側外方側に向かう係合フック１６を設けておき、各蓋体１１，１５の辺縁を載置支持する支持縁３にはスライドガイド部２０を設け、このスライドガイド部２０は、上部開口で位置決めされたロック蓋体１１のロック片１４及びスライド蓋体１５の係合フック１６それぞれの直上位置で係合するロックスライド２１と、このロックスライド２１の側方であるロック蓋体１１あるいはスライド蓋体１５を取り外し後の空所側に、係合フック１６をほぼ水平方向に沿っての移動を許容させた後に上方への、あるいは埋設ボックス１の上部開口上方からロックスライド２１の下方へのスライドを案内させるガイドスライド２２とから成ることを特徴とする。
ロックスライド２１下面には、持ち上げられたスライド蓋体１５の係合フック１６をガイドスライド２２側に上昇スライド案内させるスライド傾斜面２１Ａを形成することができる。
係合フック１６をスライド案内させるようにガイドスライド２２の上面に形成したスライドガイド傾斜面２２Ａは、ロックスライド２１のスライド傾斜面２１Ａに比し、急峻な傾斜面に形成することができる。
ロックスライド２１とガイドスライド２２とは、隣接配置されるロック蓋体１１あるいはスライド蓋体１５側に対し左右対称に形成することができ、また、ガイドスライド２２は、隣接配置されるロック蓋体１１あるいはスライド蓋体１５それぞれのスライドガイド部２０のガイドスライド２２と水平方向に沿う載置セットスライド２３によって連続させて構成することができる。
【０００８】
以上のように構成された本発明に係る埋設ボックス用蓋装置にあって、スライドガイド部２０におけるロックスライド２１は、支持縁３によって所定の位置で支持配置されたロック蓋体１１の施錠具１２のロック片１４及びスライド蓋体１５の係合フック１６それぞれを直上で係合することで、位置決めされた各蓋体１１，１５それぞれの、位置決めされた場所での直接の上方への取り外しを阻止させる。
また、施錠具１２に対する解錠操作によるロック片１４のロックスライド２１との係合解除は、ロック蓋体１１を埋設ボックス１の上部開口上方への直接的な持ち上げ、取り外しを可能にさせる一方、上部開口に閉蓋装着させるとき、ロック蓋体１１を位置決め固定する部位のロックスライド２１を回避して直接に載置させる。
スライドガイド部２０それぞれは、ロック蓋体１１、スライド蓋体１５のいずれでも装着させることで、いずれの部位のスライドガイド部２０であっても、これにロック蓋体１１を固定位置決めさせる。しかも、ロック蓋体１１を取り外してのスライド蓋体１５の側方への移動を許容させる空所が得られればよいことで、左右対称に形成されたロックスライド２１、ガイドスライド２２と相俟ち、ロック蓋体１１、スライド蓋体１５のいずれでもそれらの配置の自由度を増大させる。
スライドガイド部２０のガイドスライド２２は、施蓋状態にあるスライド蓋体１５が側方に僅かにでもスライドされて、その係合フック１６が当接されるとき、係合フック１６をスライドガイド傾斜面２２Ａに沿って上方に持ち来し、スライド蓋体１５を載置セットスライド２３上に案内させることで、スライド蓋体１５を上部開口から取り外させる。この係合フック１６のスライドは、スライド蓋体１５における隣接するロック蓋体１１あるいはスライド蓋体１５が取り外されたときに空所が生じたときに、その空所側へのスライドのみを可能とさせることで、ロック蓋体１１の取り外し後にのみ、スライド蓋体１５の取り外しを可能にさせる。
ロックスライド２１下面のスライド傾斜面２１Ａは、持ち上げられたスライド蓋体１５を、これの側方に空所がない場合にはそのまま係合させて取り外しを阻止し、側方に空所がある場合ではその空所側にスライド案内させ、ガイドスライド２２のスライドガイド傾斜面２２Ａに沿って取り外し方向に持ち上げさせる。また、スライド傾斜面２１Ａに比し急峻なガイドスライド２２のスライドガイド傾斜面２２Ａは、側方に移動されたスライド蓋体１５の上部開口上方への取り外し、逆に上部開口上方からロックスライド２１下方への装着案内を速やかにさせる。
【発明の効果】
【０００９】
本発明は以上説明したように構成されているため、電線共同溝の如き埋設ボックス１の上部開口を開閉する分割構成された各蓋体１１，１５においての１個のロック蓋体１１における施錠具１２の解錠、施錠によって他のスライド蓋体１５をも固定し、また取り外すことができ、高価な施錠具１２の各蓋体（１５）への装備を不要にする。しかも、施錠具１２に対する操作で位置決め固定されるロック蓋体１１の直接の装着、取り外しを可能にする一方、他のスライド蓋体１５にあっては、これの側方に僅かにでも空所があればその僅かなスライド移動だけで上部開口からの取り外し、更には装着ができるから、作業の迅速性、簡易性を実現できる。そればかりでなく、ロック蓋体１１に備えられている施錠具１２に対する操作で、施錠具１２が付設されていない他のスライド蓋体１５の取り外しを不可能にして安全性、安定性等を確保できる。
【００１０】
すなわちこれは、本発明において、ロック蓋体１１の施錠具１２のロック片１４及びスライド蓋体１５の係合フック１６を直上位置で係合するロックスライド２１と、ロックスライド２１の側方で、スライド蓋体１５側方の空所側への移動を許容させた後に、あるいはその空所における側方からの係合フック１６をスライド移動させる傾斜したガイドスライド２２とから成るスライドガイド部２０を備えたからである。これによって、施錠具１２が付設された１個のロック蓋体１１によって他の施錠具１２が付設されていないスライド蓋体１５の固定位置決め、その直接の取り外しの不能化、スライド蓋体１５の僅かなスライド移動による取り外しと装着との簡易化及び迅速化が可能となり、総じてこれらの作業の能率化を図り得るのである。
【００１１】
また、スライドガイド部２０におけるロックスライド２１には、ロック蓋体１１に付設の施錠具１２が施錠されたときのロック片１４を係合させるから、施錠具１２が解錠されない限り、ロック蓋体１１の取り外し、更にはスライド蓋体１５をも移動させないことでこれ等の取り外しを不能にできる。そればかりでなく、ロックスライド２１には、施錠具１２のロック片１４あるいはスライド蓋体１５の係合フック１６のいずれでも係合可能であるから、いずれの部位のロックスライド２１にロック蓋体１１、スライド蓋体１５を位置決めしても良い。そのため、埋設ボックス１の上部開口が複数に分割されるときのいずれの部位にロック蓋体１１を位置決めしても良く、取り外し後に再び上部開口を閉蓋すべく装着するとき、ロックスライド２１、ガイドスライド２２が左右対称に形成されていることと相俟ち、先ずスライド蓋体１５を位置決めさせた後であれば、最後の空所にロック蓋体１１を直接に装着すればよくなることで、閉蓋時の作業性を飛躍的に向上できる。
【００１２】
ロックスライド２１の下面には、スライド蓋体１５を取り外すべくこれが持ち上げられたとき、スライド蓋体１５の係合フック１６を、スライド蓋体１５側方の空所側にあるガイドスライド２２側に上昇スライド案内させるスライド傾斜面２１Ａを形成してあるから、取り外し時のスライド蓋体１５を迅速にガイドスライド２２側に移動でき、スライドガイド傾斜面２２Ａに沿う取り外し方向への移動を円滑にしている。
【００１３】
しかも、ガイドスライド２２のスライドガイド傾斜面２２Ａは、ロックスライド２１のスライド傾斜面２１Ａに比しその傾斜は急峻に形成してあるから、スライド蓋体１５を側方に移動して取り外すときでは、側方に移動されたスライド蓋体１５の上部開口上方への取り外しを速やかにし、また逆に上部開口上方からスライド蓋体１５で閉蓋すべく係合フック１６にて位置決めさせてガイドスライド２２に沿って移動させるとき、ロックスライド２１下方への装着案内を速やかにさせる。
【００１４】
スライドガイド部２０のガイドスライド２２は、隣接配置される蓋体１１，１５それぞれのスライドガイド部２０のガイドスライド２２と水平方向に沿う載置セットスライド２３によって連続させてあるから、この載置セットスライド２３上にスライド蓋体１５の係合フック１６を載置させてスライド移動させることで、所定部位のガイドスライド２２、ロックスライド２１への案内を円滑に行え、スライド蓋体１５を簡単に位置決め装着できる。
【００１５】
尚、上記の課題を解決するための手段、発明の効果の項夫々において付記した符号は、図面中に記載した構成各部を示す部分との参照を容易にするために付した。本発明は図面中の符号によって示された構造・形状等に限定されない。
【図面の簡単な説明】
【００１６】
【図１】本発明を実施するための一形態を示す一部切欠斜視図である。
【図２】同じく蓋受枠を示し、その（Ａ）は一部省略の要部平面図、（Ｂ）は一部省略の要部正面図である。
【図３】同じくロック蓋体における付設された施錠具部分を示し、その（Ａ）はロック時における要部側面図、（Ｂ）は取り外し時における要部側面図である。
【図４】同じくスライド蓋体における係合フック部分を示し、その（Ａ）は係合時における要部側面図、（Ｂ）は同要部正面図、（Ｃ）は取り外し中における要部側面図、（Ｄ）は同要部正面図、（Ｅ）は取り外し後における要部側面図、（Ｆ）は同要部正面図である。
【図５】同じくスライド蓋体の係合フックと蓋受枠のロックガイド部との係合、取り外しの作動原理を示す要部正面図で、その（Ａ）はロツク状態時からスライドして取り外しを開始するとき、（Ｂ）はスライドガイド面に沿ってスライド蓋体が持ち上がり、取り外されるとき、（Ｃ）はスライド蓋体を閉蓋すべく、係合スライドするとき、（Ｄ）はロツク状態時でロック蓋体あるいはスライド蓋体を上方に引き上げる場合に係合し、取り外しが不能であるとき、（Ｅ）はロツクガイド面に沿って持ち上がり、取り外されるときそれぞれを示す。
【図６】同じくスライド蓋体における係合フック部分を示し、その（Ａ）は側断面図、（Ｂ）は（Ａ）におけるＢ−Ｂ線断面図、（Ｃ）は係合バー部分を示す要部平面図である。
【図７】同じくスライド蓋体における係合フックの他例を示し、施錠具に交換可能に取り付けられる場合に好適なものとした場合の側断面図である。
【図８】同じく係合フックにおける係合部分のみを取り付けるものとした場合の側断面図である。
【発明を実施するための形態】
【００１７】
以下図面を参照して本発明を実施するための最良の一形態を説明する。図において示される符号１は通信ケーブル、電力ケーブル等の各種ケーブルの分岐、集約その他のために各種機器と共に収納されるよう、地中に埋設される電線共同溝の如き埋設ボックスであり、この埋設ボックス１の上部開口には、これらの機器等の点検、保守等のために作業員が出入りする分割式の開閉蓋１０が設けられている。この開閉蓋１０は、埋設ボックス１の上部開口縁に形成された蓋受枠２に取り外し自在に支持される例えば鋳物製で、表面には、必要に応じ、例えば周囲の歩道面等と同様な化粧が石材、コンクリート材等によって施されることもある。
【００１８】
開閉蓋１０自体の全体では、埋設ボックス１の上部開口の大きさ、形状等に対応していると共に、複数の分割された蓋体１１，１５、すなわち施錠具１２が付設された１個のロック蓋体１１と、施錠具１２は付設されておらず、スライド上下動される適数のスライド蓋体１５とから成る。図例にあっては、蓋受枠２はボルト、ナットにてネジ止め連結されることで平面で長方形状を呈するように構成され、また、この蓋受枠２に施蓋される開閉蓋１０は分割された６枚構成のものとしてあって、ロック位置は２箇所として構成されている。もとより、ロック位置は１箇所とすることも可能であると共に、蓋受枠２に施蓋される開閉蓋１０は分割された３枚構成のものとし、また蓋受枠２はボルト、ナットにてネジ止め連結されることで、１箇所のロック位置であるそれぞれのものの２連構成とすることも可能である。このように、開閉蓋１０の分割数、連結数、蓋受枠２の大きさ、ロック位置及びその数等は図示例に限定されないことは勿論である。
【００１９】
ロック蓋体１１、スライド蓋体１５それぞれは平面から見て、一辺は埋設ボックス１の上部開口における一方の辺、通常は短辺の長さに対応した長辺を、他辺は同じく他方の辺における分割されたときの各長さにそれぞれ対応する長さの短辺をそれぞれ有する長方形状を呈する。これらのロック蓋体１１、スライド蓋体１５を１組で並列配置したときに開閉蓋１０全体を構成し、埋設ボックス１の上部開口の支持縁３上面に、各蓋体１１，１５の辺縁下面に配したパッキンが当接することできっちりと閉塞するものとなっている。
【００２０】
そして、ロック蓋体１１では、その短辺のほぼ中央部位置に施錠具１２を備えており、ロック蓋体１１の表面に設けた着脱自在な錠カバー１３を取り外し、所定の鍵による解錠操作によってロック蓋体１１の下方で少なくとも９０度で揺動するロック片１４を、側方に突出させる施錠位置、突出位置外に収容する解錠位置に変位操作できるようにしてある。すなわち、このロック蓋体１１は、上部開口における所定位置、開閉蓋１０全体が施錠されるべき固定位置で直接に取り外し固定できるようにしてある。
【００２１】
一方、スライド蓋体１５では、同じくその短辺のほぼ中央部位置に係合フック１６を備えており、この係合フック１６はスライド蓋体１５本体の下方位置で側方外に突出するように側面から見てほぼＪ字あるいはＬ字形を呈し、側方外に突出する水平部分は、先端に至るに伴い僅かでも次第に小径となる裁頭円錐形状に形成されている（図６参照）。このように円錐形状に形成することで、後述するスライドガイド部２０のスライドガイド２２、ロックガイド２１のいずれに当接するもそれとのスライド移動を円滑にさせる利点が得られる。
【００２２】
また、この係合フック１６自体はスライドガイド部２０に対しスライド可能な状態で当接すれば良いから、このようなスライド蓋体１５本体との一体状の円錐形状であることに限定されない。例えば図７に示すように、ロック蓋体１１における施錠具１２の外郭形状を備えた筒状本体１７下端にほぼ水平状に突出部分を形成することで係合フック１６としたり、図８に示すように突出部分を有する部材をスライド蓋体１５の側部下面にネジ止めすることで係合フック１６としたりしても良い。要は、スライド蓋体１５本体との一体形状に拘泥されず、その断面形も円柱状、矩形状その他であるとを問わない。
【００２３】
前記蓋受枠２には、その内側面に埋設ボックス１の内方に所定幅員で張り出し状になっている支持縁３が形成されており、この支持縁３上に開閉蓋１０の周側縁部が載置されることで開閉蓋１０が蓋受枠２に支持される。また、蓋受枠２にロック蓋体１１が載置されるときではこのロック蓋体１１を係合ロックさせる一方、同様にスライド蓋体１５が載置されるときではこのスライド蓋体１５をスライド位置決めさせ、ロック蓋体１１によるロックと共に固定支持させるスライドガイド部２０を設けてある。
【００２４】
このスライドガイド部２０は、支持縁３において、図２に示すようにロック蓋体１１を係合ロックしあるいはそれを解除する部位、あるいはスライド蓋体１５をスライド案内し、固定位置決めさせる部位にそれぞれ設けられ、ロック蓋体１１、スライド蓋体１５の合計数に対応する。また、このスライドガイド部２０は、蓋受枠２においての対向する左右側縁に、これらのロック蓋体１１、スライド蓋体１５が載置される部位において、それぞれの蓋体１１，１５における側縁のほぼ中央部位置に合致する位置に設けられ、後述するロック蓋体１１の施錠具１２、スライド蓋体１５の係合フック１６それぞれがその側縁のほぼ中央部位置に配置形成されることに対応する。このようにすることで、いずれのスライドガイド部２０にも施錠具１２、係合フック１６が対応合致し、蓋体１１，１５の左右の逆配置、任意の配列順序の自由度が得られ、作業能率の向上に役立つ。
【００２５】
スライドガイド部２０自体は、図２に示すように、正面から見て、ロック蓋体１１、スライド蓋体１５それぞれが所定位置に載置され、位置決めされたときの施錠具１２、係合フック１６の直上に位置するロックスライド２１と、このロックスライド２１の側方で、スライド蓋体１５を取り外すときの側方にほぼ水平方向に沿っての移動を許容させた後に、あるいは埋設ボックス１の上部開口に対してこれを施蓋するときに、側方から移動スライドする側で、係合フック１６がその上面でスライドするよう傾斜しているガイドスライド２２とを備える。
【００２６】
ロックスライド２１は、蓋受枠２に載置されるロック蓋体１１、スライド蓋体１５の側縁のほぼ中央部位置に対応する部位で設けられ、埋設ボックス１内方に向かって突出しているように形成配置される。また、図４に示すようにその下面はガイドスライド２２側に至るに伴い次第に上昇、すなわちスライド蓋体１５の表面側に向かうように上昇するスライド傾斜面２１Ａとなっており、スライド蓋体１５の係合フック１６がロックスライド２１下面に当接したときで、このスライド蓋体１５の側方に他のスライド蓋体１５あるいはロック蓋体１１が存在しない、あるいは既に僅かでも移動された後の空所となっているときには、スライド傾斜面２１Ａに沿ってその空所側に移動させながらのスライド蓋体１５自体の上昇・持ち上げ操作を可能にしている（図４（Ｃ）乃至（Ｆ）参照）。
【００２７】
このロックスライド２１において、隣接する他のスライド蓋体１５あるいはロック蓋体１１が密接して配置されているときには、スライド蓋体１５自体の上昇は、係合フック１６とロックスライド２１との間隙に相当する間隔で可能とはしてあっても、上記のような空所が側方になく、側方への移動が僅かでも可能でない状態では、スライド蓋体１５自体の側方へのスライド上昇は不能なものとして、スライド蓋体１５自体の取り外しは不可能にしている（図４（Ａ）、（Ｂ）及び図５（Ｄ）参照）。これは、ロック蓋体１１における施錠具１２が施錠状態にあるときのロック片１４がロックスライド２１に係合することで、ロック蓋体１１の上昇、取り外しが不能となっていることと同様である（同じく図５（Ｄ）参照）。
【００２８】
また、ガイドスライド２２は、スライド蓋体１５の側方への、上記の空所がある場合に僅かにでもスライド蓋体１５を側方に移動させた後に、当接する係合フック１６をこのガイドスライド２２の上面に沿って上方に案内させることでスライド蓋体１５を埋設ボックス１の上部開口上方への取り外しを可能にしている。
【００２９】
このガイドスライド２２は、係合フック１６が持ち上げられ、また側方への移動が許容された空隙をロックスライド２１下面との間に形成する余裕空間として、また、その余裕空間は係合フック１６の幅員長さを考慮して、設定することでロックスライド２１下面と所定の間隙を隔てるように位置決めされたスライドガイド傾斜面２２Ａを上面に形成することで配置形成されている。これらを考慮して、例えば図示のように、スライド傾斜面２１Ａは緩やかな傾斜角度に設定され、これに比しスライドガイド傾斜面２２Ａは急峻な傾斜角度に設定される。
【００３０】
これらのロックスライド２１、ガイドスライド２２から成るスライドガイド部２０は、正面からみて左右で対称的に形成されており、スライド蓋体１５をいずれの側からでも装着セットし、また取り外しが可能なようにしてある。こうすることで、ロック蓋体１１の固定セット位置を特定せずに済むと共に、スライド蓋体１５をいずれの側からでも装着セットし、取り外しを可能にすることで、設置作業現場の状況に応じてスライド蓋体１５に対する作業方向を選択することによってロック蓋体１１の固定セット位置をも任意に変更できる自在性を得る。
【００３１】
また、ガイドスライド２２には、ほぼ水平方向に沿ってガイドスライド２２と連続されている載置セットスライド２３が形成されていて、この載置セットスライド２３は、隣のガイドスライド２２にも連続している。この載置セットスライド２３の高さ位置は、ロックスライド２１の高さ位置とほぼ同一とし、ロックスライド２１及び載置セットスライド２３それぞれの上面で蓋体１１，１５それぞれの辺縁を載置支持する前記の支持縁３とすることで、蓋受枠２の構成を簡素化できる。もとより、支持縁３とスライドガイド部２０とを別個に構成することも可能である。
【００３２】
スライドガイド部２０においては、図５（Ｃ）に示すように、例えば載置セットスライド２３上に載置されたスライド蓋体１５の係合フック１６が、ガイドスライド２２側に移動スライドされることでガイドスライド２２に至ると、これに沿ってロックスライド２１側の下方に落ち込ませるようにしている。そして、ロックスライド２１直下に係合フック１６が位置されることでスライド蓋体１５自体が所定位置に位置決めされ、埋設ボックス１の上部開口を閉塞する位置に装着されるものとしてある。
【００３３】
尚、図中符号５は、埋設ボックス１において開閉蓋１０が開放されたときの作業員、機材等の落下を防止する保護ネット等を支持するガード部材４を上部開口で架装係合させるよう、蓋受枠２の内側面に形成された溝状のガード支持部である。また符号１９は、ロック蓋体１１、スライド蓋体１５それぞれを持ち上げ、スライドさせるときの運搬器具等によるフック等を掛けるために、例えば施錠具１２位置、係合フック１６位置それぞれに対応して、蓋体１１，１５の表面それぞれに形成された係合バーである。
【００３４】
次にこれの使用の一例を説明する。各種ケーブルの分岐、集約その他のために埋設される埋設ボックス１の上部開口を開閉蓋１０によって閉塞するにつき、埋設ボックス１の上部開口に蓋受枠２を固定し、この蓋受枠２における支持縁３すなわちスライドガイド部２０にスライド蓋体１５、ロック蓋体１１を順次に装着し、セット固定する。この装着、セットは、先ず上部開口における端部に載置すべきスライド蓋体１５を、その係合フック１６を載置セットスライド２３上に載置してガイドスライド２２側にスライドさせ、ガイドスライド２２に沿って降ろしながら係合フック１６をロックスライド２１直下に位置させる（図５（Ｃ）参照）。こうすることで、スライド蓋体１５はいずれの方向にもスライドせず、スライド蓋体１５の側縁はロックスライド２１、載置セットスライド２３上に載置され、位置決めされる。同様にして、これに隣接する他のスライド蓋体１５をスライドガイド部２０に沿って案内させて載置し、位置決めする。そして、最終的にロック蓋体１１を装着載置するもので、その施錠具１２のロック片１４を解錠位置にセットしておいて、ロック蓋体１１をセットする位置でロックスライド２１を回避させた状態で直上から降ろし、位置決めし、その後、施錠具１２のロック片１４を揺動させてロックスライド２１下で係合させることで施錠する。こうすることで、ロック蓋体１１は他のスライド蓋体１５の移動を阻止した状態で固定位置決めされ、ロック蓋体１１は上方への取り外しが不能となり、また、スライド蓋体１５はその係合フック１６がロックスライド２１で阻止されることで上方への取り外しは不能なものとなるから、これらの蓋体１１，１５はいずれも上方には取り外しが不能な状態で固定される（図５（Ｄ）参照）。
【００３５】
一方、取り外す場合には逆の作業手順ですすめれば良く、先ず施錠具１２のロック片１４を所定の鍵によって解錠位置に変位させることで、ロック蓋体１１をそのまま上方に取り外す。次いで、ロック蓋体１１を取り外した空所となった場所側に隣接するスライド蓋体１５を移動し（図５（Ａ）参照）、その係合フック１６をガイドスライド２２に沿って移動させることで載置セットスライド２３上にまで持ち来たし、埋設ボックス１の上部開口から取り外す（図５（Ｂ）参照）。同様に他のスライド蓋体１５もその係合フック１６をスライドガイド部２０から取り外すように、順次に隣接するスライド蓋体１５を取り外した後の空所側に移動し、持ち上げるようにして埋設ボックス１の上部開口から取り外せば良い。また、取り外すべきスライド蓋体１５の側方に空所がある場合では、それを持ち上げれば、係合フック１６がロックスライド２１の下面に当接し、スライド傾斜面２１Ａに沿って空所側にスライド蓋体１５を移動させるから、そのままで持ち上げを可能にし、取り外すことができる（図５（Ｅ）参照）。
【符号の説明】
【００３６】
１…埋設ボックス                        ２…蓋受枠
３…支持縁                              ４…ガード部材
５…ガード支持部
１０…開閉蓋                            １１…ロック蓋体
１２…施錠具                            １３…錠カバー
１４…ロック片                          １５…スライド蓋体
１６…係合フック                        １７…筒状本体
１９…係合バー
２０…スライドガイド部                  ２１…ロックスライド
２１Ａ…スライド傾斜面                  ２２…ガイドスライド
２２Ａ…スライドガイド傾斜面
【図１】
2010163770.tif 000003
【図２】
2010163770.tif 000004
【図３】
2010163770.tif 000005
【図４】
2010163770.tif 000006
【図５】
2010163770.tif 000007
【図６】
2010163770.tif 000008
【図７】
2010163770.tif 000009
【図８】
2010163770.tif 000010
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
地中に埋設される埋設ボックスの上部開口を閉塞するよう複数の蓋体に分割され、上部開口に形成した蓋受枠に設けられた支持縁上に載置される開閉蓋であって、分割された各蓋体の内の１個は上部開口の所定位置で直接に取り外し固定されるロック蓋体とされ、他の蓋体は支持縁に沿って移動可能で、所定位置で固定されるスライド蓋体とされる埋設ボックス用蓋装置において、前記支持縁には、ロック蓋体に設けた施錠具による施錠時のロック片及びスライド蓋体に設けた係合フックをこれらの直上位置で係合するロックスライドと、ロックスライドの側方で、係合フックをスライド蓋体を取り外すときの側方にほぼ水平方向に沿っての移動を許容させた後に、あるいは埋設ボックスの上部開口を施蓋するときの側方から移動スライドする側で、係合フックの側方スライド移動に伴い係合フックを上下方向に移動案内させる、上下方向で傾斜しているスライドガイド傾斜面を上面に有するガイドスライドとから成るスライドガイド部を備えたことを特徴とする埋設ボックス用蓋装置。
【請求項２】
地中に埋設される埋設ボックスの上部開口に形成した蓋受枠の支持縁に載置されることで、所定数で分割された１個のロック蓋体、適数個のスライド蓋体によって上部開口を閉蓋する埋設ボックス用蓋装置において、ロック蓋体の辺縁下面には、その側外方に揺動自在に出没するロック片を備えた施錠具を設け、スライド蓋体の辺縁下面には、側外方側に向かう係合フックを設けておき、各蓋体の辺縁を載置支持する支持縁にはスライドガイド部を設け、このスライドガイド部は、上部開口で位置決めされたロック蓋体のロック片及びスライド蓋体の係合フックそれぞれの直上位置で係合するロックスライドと、このロックスライドの側方であるロック蓋体あるいはスライド蓋体を取り外し後の空所側に、係合フックをほぼ水平方向に沿っての側方移動を許容させた後に上方への、あるいは埋設ボックスの上部開口上方からロックスライドの下方への側方スライドを案内させる、上下方向で傾斜しているスライドガイド傾斜面を上面に有するガイドスライドとから成ることを特徴とする埋設ボックス用蓋装置。
【請求項３】
ロックスライド下面には、持ち上げられたスライド蓋体の係合フックをガイドスライド側に上昇スライド案内させるスライド傾斜面を形成してある請求項１または２に記載の埋設ボックス用蓋装置。
【請求項４】
係合フックをスライド案内させるようにガイドスライドの上面に形成したスライドガイド傾斜面は、ロックスライドのスライド傾斜面に比し、急峻な傾斜面に形成してある請求項１乃至３のいずれかに記載の埋設ボックス用蓋装置。
【請求項５】
ロックスライドとガイドスライドとは、ガイドスライドがロックスライドに対し左右対称に配置形成されている請求項１乃至４のいずれかに記載の埋設ボックス用蓋装置。
【請求項６】
ガイドスライドは、隣接配置されるロック蓋体あるいはスライド蓋体それぞれに対応している他のスライドガイド部のガイドスライドと、水平方向に沿う載置セットスライドによって連続させてある請求項１乃至５のいずれかに記載の埋設ボックス用蓋装置。
【手続補正２】
【補正対象書類名】明細書
【補正対象項目名】０００７
【補正方法】変更
【補正の内容】
【０００７】
上述した課題を解決するため、本発明にあっては、地中に埋設される埋設ボックス１の上部開口を閉塞するよう複数の蓋体１１，１５に分割され、上部開口に形成した蓋受枠２に設けられた支持縁３上に載置される開閉蓋１０であって、分割された各蓋体１１，１５の内の１個は上部開口の所定位置で直接に取り外し固定されるロック蓋体１１とされ、他の蓋体は支持縁３に沿って移動可能で、所定位置で固定されるスライド蓋体１５とされる埋設ボックス用蓋装置において、前記支持縁３には、ロック蓋体１１に設けた施錠具１２による施錠時のロック片１４及びスライド蓋体１５に設けた係合フック１６をこれらの直上位置で係合するロックスライド２１と、ロックスライド２１の側方で、係合フック１６をスライド蓋体１５を取り外すときの側方にほぼ水平方向に沿っての移動を許容させた後に、あるいは埋設ボックス１の上部開口を施蓋するときの側方から移動スライドする側で、係合フック１６の側方スライド移動に伴い係合フック１６を上下方向に移動案内させる、上下方向で傾斜しているスライドガイド傾斜面２２Ａを上面に有するガイドスライド２２とから成るスライドガイド部２０を備えたことを特徴とする。
地中に埋設される埋設ボックス１の上部開口に形成した蓋受枠２の支持縁３に載置されることで、所定数で分割された１個のロック蓋体１１、適数個のスライド蓋体１５によって閉蓋する埋設ボックス用蓋装置において、ロック蓋体１１の辺縁下面には、その側外方に揺動自在に出没するロック片１４を備えた施錠具１２を設け、スライド蓋体１５の辺縁下面には、側外方側に向かう係合フック１６を設けておき、各蓋体１１，１５の辺縁を載置支持する支持縁３にはスライドガイド部２０を設け、このスライドガイド部２０は、上部開口で位置決めされたロック蓋体１１のロック片１４及びスライド蓋体１５の係合フック１６それぞれの直上位置で係合するロックスライド２１と、このロックスライド２１の側方であるロック蓋体１１あるいはスライド蓋体１５を取り外し後の空所側に、係合フック１６をほぼ水平方向に沿っての移動を許容させた後に上方への、あるいは埋設ボックス１の上部開口上方からロックスライド２１の下方へのスライドを案内させる、上下方向で傾斜しているスライドガイド傾斜面２２Ａを上面に有するガイドスライド２２とから成ることを特徴とする。
ロックスライド２１下面には、持ち上げられたスライド蓋体１５の係合フック１６をガイドスライド２２側に上昇スライド案内させるスライド傾斜面２１Ａを形成することができる。
係合フック１６をスライド案内させるようにガイドスライド２２の上面に形成したスライドガイド傾斜面２２Ａは、ロックスライド２１のスライド傾斜面２１Ａに比し、急峻な傾斜面に形成することができる。
ロックスライド２１とガイドスライド２２とは、ガイドスライド２２がロックスライド２１に対し左右対称に配置形成されているものとして構成でき、また、ガイドスライド２２は、隣接配置されるロック蓋体１１あるいはスライド蓋体１５それぞれに対応している他のスライドガイド部２０のガイドスライド２２と水平方向に沿う載置セットスライド２３によって連続させて構成することができる。
【手続補正３】
【補正対象書類名】明細書
【補正対象項目名】００３６
【補正方法】変更
【補正の内容】
【００３６】
１…埋設ボックス                        ２…蓋受枠
３…支持縁                              ４…ガード部材
５…ガード支持部
１０…開閉蓋                            １１…ロック蓋体
１２…施錠具                            １３…錠カバー
１４…ロック片                          １５…スライド蓋体
１６…係合フック                        １７…筒状本体
１９…係合バー
２０…スライドガイド部                  ２１…ロックスライド
２１Ａ…スライド傾斜面                  ２２…ガイドスライド
２２Ａ…スライドガイド傾斜面            ２３…載置セットスライド